(57)【特許請求の範囲】
【請求項１】
コンタクトガラスが配置された画像読取り装置の機台上面に、コンタクトガラス面を覆い得るように開閉自在に保持された原稿押さえ装置において、
前記原稿押さえ装置は、その上面に傾斜した原稿排出部を備え前記画像読取り装置台上面の端部に旋回可能に支持された基板と、クッション部材と白色シートからなる原稿押さえ部材とが、前記基板の前記コンタクトガラスに対向する側の面に貼着手段により取り付けられており、
前記基板の前記原稿排出部を構成する板部の底面には先端が略同一平面を形成し前記原稿押さえ部材が前記先端に取り付けられるリブが立設され、前記原稿排出部の傾斜により前記底面から先端までの高さが低い部分では、前記底面から先端までの高さが高い部分よりも単位面積あたりの前記リブの密度が高く配置されていることを特徴とする画像読取り装置の原稿押さえ装置。
【請求項２】
前記基板の前記原稿押さえ部材が取り付けられる部分は、配置された前期複数のリブにより複数のセルに区切られており、前記セルを囲むリブの内壁に内接する最大円の半径をＲｏとした場合に、前記セルを囲むリブの立つ底面から先端までの高さの最小値Ｔｓとの関係が、Ｒｏ＜３Ｔｓとなるように前記リブが配置されていることを特徴とする請求項１記載の画像読取り装置の原稿押さえ装置。
【発明の詳細な説明】
【０００１】
【発明の属する技術分野】
本発明は複写装置やスキャナ装置など、原稿をコンタクトガラス上面に載置して画像読取りを行う装置の機台上面に開閉自在に設けられる原稿押さえ装置に関するものである。
【０００２】
【従来の技術】
複写装置やスキャナ装置等の画像読取り部の上方には透明なコンタクトガラスが設けられ、その上面に原稿を載置して下方に設けられた光源を移動させながら原稿を露光し画像情報が読取られる。このような装置において、露光される原稿をコンタクトガラス面に密着させるとともに移動光源からの光の漏洩を防止して最適な画像読取りを実現するために、装置上面には旋回自在に原稿押さえ装置が設けられている。
【０００３】
上記の原稿押さえ装置は、画像読取り装置上面に旋回可能に支持された基板から成っており、一般的に基板の下面、コンタクトガラスに対向する側の面には、スポンジ等のクッション部材を介して白色シートが設けられている。即ち、白色シートと基板との間にクッション部材を介在させることにより、原稿押さえ装置を閉じた時に白色シートがクッション部材を介して原稿を押圧してコンタクトガラス面に良好に密着することが可能になっている。通常、白色シートとクッション部材は接着剤などで一体化され、クッション部材の他方の面が接着剤や両面テープなどの貼着手段により基板に取り付けられている。
【０００４】
また、複写装置に設けられる原稿押さえ装置には上記の機能に加えてホームポジションに光源を停止させておき、その上方のコンタクトガラス面上で原稿を搬送させながら画像を読取るいわゆるシートスルー読取り機能を有するものもあり、その場合に原稿押さえ装置はコンタクトガラスの上面に載置された原稿を押さえる機能に加えて、原稿を自動的に搬送する原稿搬送機能が一体的に設けられている。
【０００５】
上記のような原稿押さえ装置の基板は、コンタクトガラスと対向する面の裏側は装置の外装を形成していたり、自動原稿搬送機能を有する場合は搬送させる原稿の載置台に利用されている。そのため基板には一般的に樹脂材料による成形品が利用される。樹脂材料の成形品は形状の自由度が高く軽量である特徴をもつが、成形上の制約から肉厚が制限され、また一般的に金属構造材などに比べて強度が低い性質のものである。また、コストの面から使用する材料は極力少なくすることが望まれる。そのため、機能を実現するための適切な形状に合わせて、使用する材料を出来るだけ少なくして必要な強度が得られる構造が検討される。一般的に平面形状の部材において強度を高めるためには、平面部から垂直方向に立つ数ミリ程度の板状の突設壁（リブ）を設けるのが効果がある。また、それらのリブを複数設けて互いに連結すれば更に補強の効果は高くなる。
【０００６】
【発明が解決しようとする課題】
原稿押さえ装置は略平面形状をしており、外面は外装部であったり、原稿搬送機能を有するタイプのものでは給紙する原稿の載置台やあるいは画像読取りされた後の原稿を排出してストックする排出台になっている。その裏面には補強などのために垂直方向に立つリブが形成されている。リブは数が多く、その高さが高いほどが強度が得られるが、成形に使用する材料の削減や形状の簡略化による金型コストの削減や装置全体の高さ寸法の制約などから、リブの数や高さは制限を受ける。
【０００７】
また、コンタクトガラス上の原稿を押さえる原稿押さえ部材のクッション部材は接着剤や両面テープなどの貼着手段によりリブの先端部に取り付けられている。そこで原稿押さえ装置で本などの厚みのある原稿を押さえる場合に、白色シートを介してクッション部材に部分的な外力が作用して支持しているリブ間で撓みが発生することがある。通常、クッション部材の撓みはそれ自体の弾性により元の形に復帰する。しかし、従来の強度と経済性のみを考慮してリブを設けた場合には、撓んだクッション部材の頂上部が突設壁の立っている底面部に当接することがある。その際、クッション部材の取り付けのための貼着手段により、底面部に貼着され復帰しない不具合が発生することがあった。
【０００８】
【課題を解決するための手段】
本発明は原稿押さえ装置にコンタクトガラス面に原稿を押さえる原稿押さえ部材を適切に取り付けるための、取り付け部の最適な形状を提案するものである。請求項１にかかわる発明は、コンタクトガラスが配置された画像読取り装置の機台上面に、コンタクトガラス面を覆い得るように開閉自在に保持された原稿押さえ装置において、原稿押さえ装置は、その上面に傾斜した原稿排出部を備え画像読取り装置台上面の端部に旋回可能に支持された基板と、クッション部材と白色シートからなる原稿押さえ部材とが、基板のコンタクトガラスに対向する側の面に貼着手段により取り付けられており、基板の原稿排出部を構成する板部の底面には先端が略同一平面を形成し原稿押さえ部材が先端に取り付けられるリブが立設され、原稿排出部の傾斜により底面から先端までの高さが低い部分では、底面から先端までの高さが高い部分よりも単位面積あたりの前記リブの密度が高く配置されていることを特徴としている。これにより、単位面積あたりのリブの配置密度は場所により異なっており、原稿押さえ装置の基板に必要な強度が得られるとともに、原稿押さえ部材が取り付けられて、コンタクトガラス上に載置された原稿を押さえることができる。
【０００９】
また、原稿押さえ装置の基板における原稿押さえ部材が貼着される部分においては、複数のリブが設けられており、リブの先端は同一平面を形成しており、原稿押さえ部材が貼着手段によりリブの先端部に取り付けられ支持されている。また、リブが立つ底面からリブの先端までの高さをＴとした場合に、リブの高さＴが低い部分においては単位面積あたりのリブの密度は、リブの高さＴが高い部分よりも高くなるようにリブが配置されている。これにより、コンタクトガラス上に載置されたブック原稿等を原稿押さえ部材が押さえる際に、白色シートに外力が作用して一時的に凹み発生しても、クッション部材が貼着手段によ基板の底面に貼着することが防止され、凹みはクッション部材の弾性によりもとの形状に復帰される。
【００１０】
請求項２にかかわる発明は、原稿押さえ装置の基板における原稿押さえ部材が貼着される部分においては、複数のリブが設けられており、原稿押さえ部材が貼着手段によりリブの先端部に取り付けられ支持されている。また、リブは途中で連結することにより、周囲をリブで囲まれた複数のセルを形成している。ここで、セルの大きさ及び形状は、セルを囲む周囲のリブの立つ底面からの高さの最小値をＴｓとし、セルに内接する最大縁の半径をＲｏとした場合に、Ｒｏ＜３Ｔｓの関係が満足されるようにせっていされている。これにより、原稿押さえ装置の基板の設計時において、原稿排出部を最適な形状に設計し、それに合わせて要求される基板強度を得るとともに原稿押さえ部材に凹みが発生しないように取り付けるためのリブの配置を容易に決定することが可能である。
【００１１】
【発明の実施の形態】
以下、添付図面に示す具体例に基づいて本発明を説明する。図１は原稿押さえ装置が設けられた複写装置の正面から見た略断面図である。複写装置本体１の上面にはコンタクトガラス２が設けられ、その下方には画像読取り部３が配置されており、光源４が移動しながらコンタクトガラス２上に載置された原稿を露光して画像を読取る。コンタクトガラス２の上方には原稿押さえ装置５が設置されている。原稿押さえ装置５はヒンジ部材（図示せず）を介して複写装置本体１の後方に旋回可能に連結されている。原稿押さえ装置５は左方にシート原稿を自動的に搬送するシート原稿搬送部１１を有しその右側のコンタクトガラス２に対向する部分には、原稿押さえ部材１３が設けられている。
【００１２】
図２に原稿押さえ装置２の詳細な断面図、図３に原稿押さえ装置５の基板を原稿押さえ部材が取り付けられる側からみた平面図を示す。原稿押さえ装置５は樹脂材料で成形された基板１０に、シート原稿搬送部１１、ヒンジ部材１２、原稿押さえ部材１３、原稿トレイ１４などの部材が取り付けられている。シート原稿搬送部１１は原稿トレイ１４に載置されたシート状の原稿を搬送して、図１に示し画像読取り部３のホームポジションに停止した光源４の上方を通過させて画像を読み込ませ、原稿排出部１７に排出する。原稿押さえ部材１３はコンタクトガラス２上に載置されたシート原稿やブック原稿を基板１０の旋回動作により上方から押さえて密着させ、画像読取り部３の光源４が移動しながら露光して画像を読取る。
【００１３】
基板１０はＡＢＳやポリプロピレンなどのプラスチック材料から形成されている。原稿押さえ部材１３はクッション部材１５の片面には白色シート１６が接着されている。また、クッション部材１５は貼着手段により基板１０に取り付けられている。ブック原稿などを押さえるには原稿押さえ部材１３にある程度の弾力性が必要であり、クッション部材１５の材質にはスポンジ等の樹脂発泡体などが最も好適である。また、クッション部材１５の厚みは、少なくとも３〜５ｍｍ程度に設定されるのが望ましい。白色シート１６は、適度な可撓性乃至柔軟性を有するプラスチック材料、例えばポリエチレン、ポリプロピレン、ポリオレフィンや各種ポリエステル、ポリ塩化ビニルなどが用いられる。クッション部材１５を基材１０に取り付けるには、一般的にクッション部材１５の基板１０へ取り付ける貼着手段としてはクッション部材１５の表面にアクリル系接着剤を塗布したり、両面テープを貼り付けてる方法などがある。また、原稿押さえ部材１３の形状はコンタクトガラス２よりやや大きい矩形である。
【００１４】
また、基板１０の原稿排出部１７を構成する板部２１の裏面にはリブ２０が形成されている。リブ２０は板部２１において適当な間隔を設けて１〜２ｍｍ程度の厚みのある板形状の壁が略垂直方向に立設されたものである。また、リブ２０は部分的に連結して広く平面的な領域にリブで囲まれた複数のセル２５を形成している。リブ２０は基板１０の撓みやねじれに対する強度を高める効果を有している。また、原稿排出部１７は排出される原稿の整合や使用者の操作性を考慮して、若干の傾斜が設けられたり曲面に成形されて最適な形状に設計されるが、リブ２０の板部２１からの高さは調整されリブ先端２３は同一の平面である取付面２４を形成している。原稿押さえ部材１３はリブ先端２３で形成された取付面２４に貼り付けられるため、原稿排出部１７の板部２１がコンタクトガラス２に対して平行な平面でない場合も、原稿押さえ部材１３を水平に取り付けることが可能である。
【００１５】
リブ２０の配置や連結は原稿排出部１７の形状や要求強度に合わせて金型製作のコストなど考慮して、三角形や矩形にセルを形成するのが一般的であるが、以下で説明するように原稿押さえ部材１３の取り付けによる不具合の発生を防止するための、本発明に係わるリブ２０の位置及び形状に関する条件が加味される。
【００１６】
セル２５の形状や大きさとセルを囲むリブ２０の高さＴによっては、リブ２０に原稿押さえ部材１３を取り付けた時に図５に示すような不具合が発生する危険性がある。原稿押さえ部材１３には原稿を押さえる際などに外力が作用してリブ２０の間の部分には撓みが発生する。リブ２０の高さが低いと原稿押さえ部材の貼着面と底面２２の距離が近くなり、セルを囲むリブ２０からの距離が大きいと原稿押さえ部材１３の撓みが大きくなる。その結果、リブ２０の高さと配置が不適切であると原稿押さえ部材１３が撓んだ際に撓みの頂部が底面２２に貼着される不具合が発生する。
【００１７】
次に、上記の原稿押さえ部材１３の貼着により発生する不具合防ぐための本発明に係わるリブ２０の設定条件について説明する。ここで、リブ２０で囲まれた任意のセル２５の一つにおいて、そのセル２５を囲んでいるリブ２０の高さＴは、リブ２０の内壁２６と板部２１の底面２２の交点からリブ先端２３が形成する取付面２４までの垂直方向の距離とする。（図５）また、リブ２０により囲まれて形成されるセル２５の一つにおいて、囲んでいるリブ２０の内壁２６に内接する最大円の半径をＲｏとする。
【００１８】
上記で説明した原稿押さえ部材１３が底面２２に貼着する不具合の発生要因から、セル２５を囲むリブ２０の高さと互いの距離との関係を規制する必要があることが分かる。その条件を設定するに際しては、リブ２０の配置は様々な設定が可能であるが、どのような形状においても共通で利用できるものが望まれる。検討と確認の結果、セル２５で発生する原稿押さえ部材１３の撓みは、セル２５に内接する最大円と同径の円筒リブで囲まれたセルにおいて発生する撓みと同程度であることがわかった。また、先に説明した材質や厚さで構成された原稿押さえ部材１３においては、Ｒｏ＜３ＴｓであればＴｓ＝１ｍｍ以上において撓みの頂上が底面に達するのを十分に防ぐことが可能であることが分かった。
【００１９】
ここで、図２、３に示す本発明の原稿搬送装置５の基板１０では、左中央部の分割空間２５ａにおいて、Ｔｓ＝３ｍであり、リブ２０の三辺に内接する最大円の半径はＲｏ＝６．８ｍｍである。また、左下方の分割空間２５ｂにおいて、Ｔｓ＝８．８ｍｍであり、上下のリブ２０に内接する最大円の半径はＲｏ＝１１．８ｍｍである。また、右中央部の分割空間２５ｃにおいては、Ｔｓ＝２４．６ｍｍであり、リブ２０の三辺に内接する最大円の半径Ｒｏ＝２０ｍｍとなっている。いずれのセルにおいてもＲｏ＜３Ｔｓの条件が満足されるように高さ及び間隔が設定されている。
【００２０】
また、原稿押さえ部材１３を基板１０への接着するに際して、接着領域を適切に設定することにより全面に接着剤や両面テープ等を設ける領域を少なくしてコストを削減することが可能である。例えば図６に示すように、複写装置などの画像読取り装置に一端付近で支点軸３０により旋回可能に連結された原稿稿押さえ装置５ａにおいて、原稿押さえ部材１３ａの貼り付け領域は、支点軸３０に対して直角方向において左右に貼り付け領域が設定され中央付近は非接着領域となっている。原稿押さえ部材は左右の接着領域により十分な強度で保持され、非接着領域においても基板にはリブが形成されているのでコンタクトガラス上の原稿を押さえる上でも支障は発生しない。非接着領域においては、接着による不具合が発生しないのでリブの構成を簡略化でき金型費の削減を図ることが可能になる。また、中央付近を非接着領域とすることにより、閉じられている原稿押さえ装置を手で開こうとする際に、コンタクトガラスに密着することで吸引されている白色シートの左右部が変形して吸着が解除されるため、開放の負荷が軽減される効果もある。
【００２１】
【発明の効果】
以上の説明のように本発明によれば、原稿押さえ装置において樹脂部材により成形さらた構成部材である基板において、原稿押さえ部材を貼り付ける領域に適切な間隔と高さのリブを設定することが可能になり、過剰な設計による無駄を生じずに原稿押さえ部材に凹みが発生するなどの不具合を完全に防止することが可能になる。
【図面の簡単な説明】
【図１】本発明の原稿押さえ装置が取り付けられる複写装置の概略断面図である。
【図２】本発明の原稿押さえ装置の概略断面図である。
【図３】本発明の原稿押さえ装置の基板を原稿押さえ部材が取り付けられる側から見た概略平面図である。
【図４】本発明の原稿押さえ装置の基板に形成されるリブの形状を説明するための説明図である。
【図５】従来の原稿押さえ装置において発生する不具合を説明するための説明図である。
【図６】原稿押さえ部材の貼着領域を説明するための説明図である。
【符号の説明】
２…コンタクトガラス、５…原稿押さえ装置、１０…基板、１３…原稿押さえ部材、１５…クッション部材、２０…リブ、２５…分割空間
【図１】
0003560539.tif 000002
【図２】
0003560539.tif 000003
【図３】
0003560539.tif 000004
【図４】
0003560539.tif 000005
【図５】
0003560539.tif 000006
【図６】
0003560539.tif 000007